(57)【特許請求の範囲】
【請求項１】
エネルギー貯蔵システムが備え、前記エネルギー貯蔵システムごとに対応づけられている複数の構成要素を示す第１の情報を取得する情報取得手段と、
確認対象の前記エネルギー貯蔵システムが備える複数の構成要素を示す対象情報を取得する対象情報取得手段と、
前記第１の情報と前記対象情報に基づき、前記確認対象のエネルギー貯蔵システムの構成が正規か否かを判断する判断手段と、
を有し、
前記情報取得手段は、前記確認対象のエネルギー貯蔵システムを監視する監視装置が前記確認対象のエネルギー貯蔵システムから取得した前記第１の情報を取得する判断装置。
【請求項２】
請求項１に記載の判断装置において、
前記対象情報取得手段は、前記確認対象のエネルギー貯蔵システムを監視する監視装置が前記確認対象のエネルギー貯蔵システムから取得した前記対象情報を取得する判断装置。
【請求項３】
請求項２に記載の判断装置において、
所定のタイミングで、前記監視装置に前記対象情報を要求する要求手段をさらに有する判断装置。
【請求項４】
請求項３に記載の判断装置において、
前記要求手段は、前記エネルギー貯蔵システムの状態を示す状態データに基づき前記タイミングを決定する判断装置。
【請求項５】
請求項３に記載の判断装置において、
前記判断手段は、正規か否かの判断結果に基づいて、前記エネルギー貯蔵システムに対して運転許可を発行し、
前記要求手段は、前記エネルギー貯蔵システムから運転許可の申し込みがあると、前記エネルギー貯蔵システムを監視する前記監視装置に前記対象情報を要求する判断装置。
【請求項６】
請求項３に記載の判断装置において、
前記要求手段は、前記エネルギー貯蔵システムの設置に応じて、前記エネルギー貯蔵システムを監視する前記監視装置に前記対象情報を要求する判断装置。
【請求項７】
請求項３に記載の判断装置において、
前記要求手段は、予め定められたスケジュールに基づき、定期的に、前記エネルギー貯蔵システムを監視する前記監視装置に前記対象情報を要求する判断装置。
【請求項８】
請求項３に記載の判断装置において、
前記要求手段は、前記エネルギー貯蔵システムに対するメンテナンスの検出に応じて、前記エネルギー貯蔵システムを監視する前記監視装置に前記対象情報を要求する判断装置。
【請求項９】
請求項３に記載の判断装置において、
前記要求手段は、前記エネルギー貯蔵システムの部品が交換されたことの検出に応じて、前記エネルギー貯蔵システムを監視する前記監視装置に前記対象情報を要求する判断装置。
【請求項１０】
請求項１から９のいずれか１項に記載の判断装置において、
前記判断手段は、複数の前記エネルギー貯蔵システム各々に対応付けて前記第１の情報を記憶する第１の情報記憶手段から取得された前記第１の情報、前記第１の情報を記憶する前記エネルギー貯蔵システムから取得された前記第１の情報、及び、前記エネルギー貯蔵システムから取得された前記対象情報に基づき、前記エネルギー貯蔵システムの構成が正規か否かを判断する判断装置。
【請求項１１】
請求項１から１０のいずれか１項に記載の判断装置において、
前記判断手段は、前記確認対象のエネルギー貯蔵システムの構成が正規でないと判断すると、警告を出力する判断装置。
【請求項１２】
請求項１から１１のいずれか１項に記載の判断装置において、
前記判断手段は、前記確認対象のエネルギー貯蔵システムの構成が正規でないと判断すると、前記確認対象のエネルギー貯蔵システムの運転を停止させる指示を出力する判断装置。
【請求項１３】
確認対象のエネルギー貯蔵システムが備える複数の構成要素を示す対象情報と、正規な前記確認対象のエネルギー貯蔵システムが備える複数の構成要素各々を示す正規情報とを前記確認対象のエネルギー貯蔵システムから取得する取得手段と、
前記対象情報及び前記正規情報を外部装置に送信する通信手段と、
を有する監視装置。
【請求項１４】
請求項１３に記載の監視装置において、
前記取得手段は、前記確認対象のエネルギー貯蔵システムが備える複数の構成要素各々から各々を識別する識別番号を取得した後、前記識別番号に基づいた演算で送信値を算出し、
前記通信手段は、前記送信値を含む前記対象情報を前記外部装置に送信する監視装置。
【請求項１５】
請求項１３に記載の監視装置において、
前記取得手段は、前記エネルギー貯蔵システムによる充放電動作により得られた充放電特性を示す情報を取得し、
前記通信手段は、前記充放電特性を示す情報を含む前記対象情報を前記外部装置に送信する監視装置。
【請求項１６】
請求項１３から１５のいずれか１項に記載の監視装置において、
前記取得手段は、所定のタイミングで、前記対象情報を取得し、
前記通信手段は、前記取得手段による取得に応じて、前記対象情報を前記外部装置に送信する監視装置。
【請求項１７】
請求項１６に記載の監視装置において、
前記取得手段は、前記エネルギー貯蔵システムの状態を示す状態データに基づき前記タイミングを決定する監視装置。
【請求項１８】
請求項１７に記載の監視装置において、
前記取得手段は、前記状態データの値が参照値から所定レベル以上乖離すると、前記対象情報を取得する監視装置。
【請求項１９】
請求項１６に記載の監視装置において、
前記取得手段は、前記エネルギー貯蔵システムから運転許可の申し込みを受信すると、前記対象情報を取得する監視装置。
【請求項２０】
請求項１６に記載の監視装置において、
前記取得手段は、前記エネルギー貯蔵システムの設置に応じて、前記対象情報を取得する監視装置。
【請求項２１】
請求項１６に記載の監視装置において、
前記取得手段は、予め定められたスケジュールに基づき、定期的に、前記対象情報を取得する監視装置。
【請求項２２】
請求項１６に記載の監視装置において、
前記取得手段は、前記エネルギー貯蔵システムに対するメンテナンスの検出に応じて、前記対象情報を取得する監視装置。
【請求項２３】
請求項１６に記載の監視装置において、
前記取得手段は、前記エネルギー貯蔵システムの部品が交換されたことの検出に応じて、前記対象情報を取得する監視装置。
【請求項２４】
複数の構成要素を備え、所定のタイミングで、前記構成要素各々を示す対象情報と、正規なエネルギー貯蔵システムが備える複数の構成要素各々を示す正規情報とを外部装置に送信するエネルギー貯蔵システム。
【請求項２５】
請求項２４に記載のエネルギー貯蔵システムにおいて、
前記エネルギー貯蔵システムの状態を示す状態データに基づき前記タイミングを決定するエネルギー貯蔵システム。
【請求項２６】
請求項２５に記載のエネルギー貯蔵システムにおいて、
前記状態データの値が参照値から所定レベル以上乖離すると、前記対象情報を送信するエネルギー貯蔵システム。
【請求項２７】
請求項２４に記載のエネルギー貯蔵システムにおいて、
運転許可の申し込みの入力を受付けると、前記対象情報を送信するエネルギー貯蔵システム。
【請求項２８】
請求項２４に記載のエネルギー貯蔵システムにおいて、
前記エネルギー貯蔵システムの設置に応じて、前記対象情報を送信するエネルギー貯蔵システム。
【請求項２９】
請求項２４に記載のエネルギー貯蔵システムにおいて、
予め定められたスケジュールに基づき、定期的に、前記対象情報を送信するエネルギー貯蔵システム。
【請求項３０】
請求項２４に記載のエネルギー貯蔵システムにおいて、
前記エネルギー貯蔵システムに対するメンテナンスの検出に応じて、前記対象情報を送信するエネルギー貯蔵システム。
【請求項３１】
請求項２４に記載のエネルギー貯蔵システムにおいて、
前記エネルギー貯蔵システムの部品が交換されたことの検出に応じて、前記対象情報を送信するエネルギー貯蔵システム。
【請求項３２】
コンピュータが、
エネルギー貯蔵システムが備え、前記エネルギー貯蔵システムごとに対応づけられている複数の構成要素を示す第１の情報を取得する情報取得工程と、
確認対象の前記エネルギー貯蔵システムが備える複数の構成要素を示す対象情報を取得する対象情報取得工程と、
前記第１の情報と前記対象情報に基づき、前記確認対象のエネルギー貯蔵システムの構成が正規か否かを判断する判断工程と、
を実行し、
前記情報取得工程では、前記確認対象のエネルギー貯蔵システムを監視する監視装置が前記確認対象のエネルギー貯蔵システムから取得した前記第１の情報を取得する判断方法。
【請求項３３】
コンピュータが、
確認対象のエネルギー貯蔵システムが備える複数の構成要素を示す対象情報と、正規な前記確認対象のエネルギー貯蔵システムが備える複数の構成要素各々を示す正規情報とを前記確認対象のエネルギー貯蔵システムから取得する取得工程と、
前記対象情報及び前記正規情報を外部装置に送信する通信工程と、
を実行する監視方法。
【請求項３４】
コンピュータを、
確認対象のエネルギー貯蔵システムが備える複数の構成要素を示す対象情報と、正規な前記確認対象のエネルギー貯蔵システムが備える複数の構成要素各々を示す正規情報とを前記確認対象のエネルギー貯蔵システムから取得する取得手段、
前記対象情報及び前記正規情報を外部装置に送信する通信手段、
として機能させるプログラム。
【請求項３５】
複数の構成要素を備えるエネルギー貯蔵システムのコンピュータが、
所定のタイミングで、前記構成要素各々を示す対象情報と、正規なエネルギー貯蔵システムが備える複数の構成要素各々を示す正規情報とを外部装置に送信するエネルギー貯蔵システムの動作方法。
【請求項３６】
複数の構成要素を備えるエネルギー貯蔵システムのコンピュータを、
所定のタイミングで、前記構成要素各々を示す対象情報と、正規なエネルギー貯蔵システムが備える複数の構成要素各々を示す正規情報とを外部装置に送信する手段として機能させるプログラム。
【発明の詳細な説明】
【技術分野】
【０００１】
本発明は、判断装置、監視装置、エネルギー貯蔵システム、監視システム、判断方法、監視方法、エネルギー貯蔵システムの動作方法及びプログラムに関する。
【背景技術】
【０００２】
特許文献１には、蓄電装置毎に設置された複数のコントローラから複数の蓄電装置各々の蓄電量の情報を取得し、グループ毎に当該蓄電量の情報を管理するグループ電力管理装置が開示されている。【０００３】
特許文献２には、サーバ又はクライアントから当該サーバ又はクライアントの機器情報を受信すると、今回受信した機器情報と１回前に受信した機器情報とを比較し、変更が発生している場合、変更状況を表示するマネージャーサーバが開示されている。機器情報は、製造番号、ホスト名、ＩＰアドレス、設置場所の住所、管理者、連絡先等を含む。
【先行技術文献】
【特許文献】
【０００４】
【特許文献１】特開２０１１−１５５７１４号公報
【特許文献２】特開２００９−１６９５８０号公報
【発明の概要】
【発明が解決しようとする課題】
【０００５】
電力等のエネルギーを蓄えるエネルギー貯蔵システムは、複数の構成要素を含んで構成される。例えば、エネルギー貯蔵システムは、システムの全体を制御するシステムコントローラ、エネルギーを貯蔵するエネルギー貯蔵ユニット、エネルギー貯蔵ユニットを制御するエネルギー制御ユニット、及び、直流電力／交流電力の変換を行うパワーコンディショナ等を含んで構成される。【０００６】
システムの改造等などにより、複数の構成要素の組み合わせが正規な状態から外れると、エネルギー貯蔵システムの価値や安全性等が損なわれる可能性がある。特許文献１及び２に係る発明はいずれも、このような課題及びその解決手段を提供していない。【０００７】
本発明は、エネルギー貯蔵システムの複数の構成要素の組み合わせが正規な状態から外れたことを検知するための技術を提供することを課題とする。
【課題を解決するための手段】
【０００８】
本発明によれば、
エネルギー貯蔵システムが備え、前記エネルギー貯蔵システムごとに対応づけられている複数の構成要素を示す第１の情報を取得する情報取得手段と、
確認対象の前記エネルギー貯蔵システムが備える複数の構成要素を示す対象情報を取得する対象情報取得手段と、
前記第１の情報と前記対象情報に基づき、前記確認対象のエネルギー貯蔵システムの構成が正規か否かを判断する判断手段と、
を有し、
前記情報取得手段は、前記確認対象のエネルギー貯蔵システムを監視する監視装置が前記確認対象のエネルギー貯蔵システムから取得した前記第１の情報を取得する判断装置が提供される。
【０００９】
また、本発明によれば、
確認対象のエネルギー貯蔵システムが備える複数の構成要素を示す対象情報と、正規な前記確認対象のエネルギー貯蔵システムが備える複数の構成要素各々を示す正規情報とを前記確認対象のエネルギー貯蔵システムから取得する取得手段と、
前記対象情報及び前記正規情報を外部装置に送信する通信手段と、
を有する監視装置が提供される。
【００１０】
また、本発明によれば、
複数の構成要素を備え、所定のタイミングで、前記構成要素各々を示す対象情報と、正規なエネルギー貯蔵システムが備える複数の構成要素各々を示す正規情報とを外部装置に送信するエネルギー貯蔵システムが提供される。
【００１１】
また、本発明によれば、前記判断装置と、前記監視装置と、を有する監視システムが提供される。【００１２】
また、本発明によれば、
コンピュータが、
エネルギー貯蔵システムが備え、前記エネルギー貯蔵システムごとに対応づけられている複数の構成要素を示す第１の情報を取得する情報取得工程と、
確認対象の前記エネルギー貯蔵システムが備える複数の構成要素を示す対象情報を取得する対象情報取得工程と、
前記第１の情報と前記対象情報に基づき、前記確認対象のエネルギー貯蔵システムの構成が正規か否かを判断する判断工程と、
を実行し、
前記情報取得工程では、前記確認対象のエネルギー貯蔵システムを監視する監視装置が前記確認対象のエネルギー貯蔵システムから取得した前記第１の情報を取得する判断方法が提供される。
【００１３】
また、本発明によれば、
コンピュータを、
エネルギー貯蔵システムが備え、前記エネルギー貯蔵システムごとに対応づけられている複数の構成要素を示す第１の情報を取得する情報取得手段と、
確認対象の前記エネルギー貯蔵システムが備える複数の構成要素を示す対象情報を取得する対象情報取得手段、
前記第１の情報と前記対象情報に基づき、前記確認対象のエネルギー貯蔵システムの構成が正規か否かを判断する判断手段、
として機能させるプログラムが提供される。【００１４】
また、本発明によれば、
コンピュータが、
確認対象のエネルギー貯蔵システムが備える複数の構成要素を示す対象情報と、正規な前記確認対象のエネルギー貯蔵システムが備える複数の構成要素各々を示す正規情報とを前記確認対象のエネルギー貯蔵システムから取得する取得工程と、
前記対象情報及び前記正規情報を外部装置に送信する通信工程と、
を実行する監視方法が提供される。
【００１５】
また、本発明によれば、
コンピュータを、
確認対象のエネルギー貯蔵システムが備える複数の構成要素を示す対象情報と、正規な前記確認対象のエネルギー貯蔵システムが備える複数の構成要素各々を示す正規情報とを前記確認対象のエネルギー貯蔵システムから取得する取得手段、
前記対象情報及び前記正規情報を外部装置に送信する通信手段、
として機能させるプログラムが提供される。
【００１６】
また、本発明によれば、
複数の構成要素を備えるエネルギー貯蔵システムのコンピュータが、
所定のタイミングで、前記構成要素各々を示す対象情報と、正規なエネルギー貯蔵システムが備える複数の構成要素各々を示す正規情報とを外部装置に送信するエネルギー貯蔵システムの動作方法が提供される。
【００１７】
また、本発明によれば、
複数の構成要素を備えるエネルギー貯蔵システムのコンピュータを、
所定のタイミングで、前記構成要素各々を示す対象情報と、正規なエネルギー貯蔵システムが備える複数の構成要素各々を示す正規情報とを外部装置に送信する手段として機能させるプログラムが提供される。
【発明の効果】
【００１８】
本発明によれば、エネルギー貯蔵システムの複数の構成要素の組み合わせが正規な状態から外れたことを検知するための技術が実現される。
【図面の簡単な説明】
【００１９】
上述した目的、およびその他の目的、特徴および利点は、以下に述べる好適な実施の形態、およびそれに付随する以下の図面によってさらに明らかになる。【００２０】
【図１】本実施形態の装置のハードウエア構成の一例を概念的に示す図である。
【図２】本実施形態の監視システムの全体像を示す機能ブロック図の一例である。
【図３】本実施形態のエネルギー貯蔵システムの機能ブロック図の一例である。
【図４】本実施形態の監視装置の機能ブロック図の一例である。
【図５】本実施形態の判断装置の機能ブロック図の一例である。
【図６】本実施形態の正規情報記憶部が記憶する情報の一例を模式的に示す図である。
【図７】本実施形態の正規情報記憶部が記憶する情報の一例を模式的に示す図である。
【図８】本実施形態の監視システムの処理の流れの一例を示すシーケンス図である。
【図９】本実施形態の監視システムの処理の流れの一例を示すシーケンス図である。
【図１０】本実施形態の監視システムの処理の流れの一例を示すシーケンス図である。
【図１１】充放電特性に基づき構成要素を識別するための情報の一例を模式的に示す図である。
【図１２】本実施形態の判断装置の機能ブロック図の一例である。
【図１３】本実施形態の判断装置の処理の流れの一例を示すフローチャートである。
【図１４】本実施形態の判断装置の処理の流れの一例を示すフローチャートである。
【発明を実施するための形態】
【００２１】
まず、本実施形態の装置（判断装置、監視装置、エネルギー貯蔵システム）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２２】
図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路４Ａには、様々なモジュールが含まれる。なお、装置は周辺回路４Ａを有さなくてもよい。
【００２３】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサ等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００２４】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００２５】
なお、本明細書において、「取得」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００２６】
＜第１の実施形態＞
まず、図２を用いて、本実施形態の監視システムの全体像を説明する。図示するように、監視システムは、判断装置１０と、複数の監視装置２０と、複数のエネルギー貯蔵システム３０とを有する。
【００２７】
エネルギー貯蔵システム３０は、電力などのエネルギーを貯蔵及び出力するシステムであり、例えば蓄電システムが該当する。エネルギー貯蔵システム３０は、例えば需要家エリアに設置される。
【００２８】
監視装置２０は、各エネルギー貯蔵システム３０に対応して設置され、対応するエネルギー貯蔵システム３０の動作や状態を監視する。監視装置２０は、例えば需要家エリアに設置される。
【００２９】
対応する監視装置２０及びエネルギー貯蔵システム３０は、任意の手段（通信手段）で互いにデータの送受信を行う。なお、監視装置２０及びエネルギー貯蔵システム３０は、物理的及び／又は論理的に一体となって構成されてもよいし、分かれて構成されてもよい。
【００３０】
判断装置１０は、複数の監視装置２０各々から対応するエネルギー貯蔵システム３０に関する情報を受信する。そして、判断装置１０は、受信した情報に基づき、各エネルギー貯蔵システム３０の構成を管理する。
【００３１】
判断装置１０は、エネルギー貯蔵システム３０の運転を制御してもよい。すなわち、判断装置１０は、エネルギー貯蔵システム３０の構成に基づき、エネルギー貯蔵システム３０の運転を許可するか否かの判断、及び、判断結果の通知を行ってもよい。この場合、エネルギー貯蔵システム３０は、判断装置１０から運転許可を受けた場合に運転可能となり、運転許可を受けていない場合は運転不可となるよう構成される。
【００３２】
判断装置１０は、例えばクラウドサーバであってもよい。判断装置１０と複数の監視装置２０各々は、インターネット等の通信ネットワークを介して互いにデータの送受信を行う。なお、複数のエネルギー貯蔵システム３０各々もインターネット等の通信ネットワークに繋がっていてもよい。
【００３３】
以下、エネルギー貯蔵システム３０、監視装置２０及び判断装置１０の詳細な構成を、この順に説明する。
【００３４】
エネルギー貯蔵システム３０は、電力などのエネルギーを貯蔵するシステム（例：蓄電システム）であり、物理的及び／又は論理的に分かれた複数の構成要素（複数のユニット）を含んで構成される。以下、単に「構成要素」といった場合、エネルギー貯蔵システム３０が備える複数の構成要素を指す。
【００３５】
各構成要素は、自身を識別する情報（例：ユニットの型番、製造メーカ、製造年月日、識別番号、インストールしているソフトウェアのバージョン等。以下、「構成要素ＩＤ（identifier）」。）を記憶する手段と、記憶している構成要素ＩＤを読み出し、監視装置２０に送信する手段とを有する。複数の構成要素各々と、監視装置２０との間の通信手段は特段制限されず、あらゆる手段を採用できる。
【００３６】
各構成要素は、監視装置２０から構成要素ＩＤの要求を受信する手段をさらに備えてもよい。そして、各構成要素は、監視装置２０から構成要素ＩＤの要求を受信すると、当該要求に応じて構成要素ＩＤを監視装置２０に返信してもよい。
【００３７】
その他、各構成要素は、エネルギー貯蔵システム３０の全体を制御する構成要素（エネルギー貯蔵システム３０が備える複数の構成要素の中のいずれか）からの指示に従い、構成要素ＩＤを監視装置２０に送信してもよい。例えば、エネルギー貯蔵システム３０の全体を制御する構成要素は、予め定められたタイミングの到来を検知する手段と、当該検知に応じて複数の構成要素各々に構成要素ＩＤを監視装置２０に送信する指示を送信する手段とをさらに備えてもよい。そして、エネルギー貯蔵システム３０の全体を制御する構成要素は、当該指示の送信に応じて自身の構成要素ＩＤを監視装置２０に送信してもよい。また、エネルギー貯蔵システム３０のその他の構成要素は、当該指示を受信すると、当該指示に応じて構成要素ＩＤを監視装置２０に送信してもよい。
【００３８】
予め定められたタイミングは、「エネルギー貯蔵システム３０の電源がＯＮになったタイミング」、「判断装置１０から運転許可を受けていない状態で、エネルギー貯蔵システム３０を運転させる指示入力を受付けたタイミング」、「運転許可を受けている否に関係なく、エネルギー貯蔵システム３０を運転させる指示入力を受付けたタイミング」、「判断装置１０から運転許可を受けている状態で、予め定められた日時（例：毎月１日０時）が到来したタイミング」、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等が例示されるがこれらに限定されない。
【００３９】
ここで、図３を用いて、エネルギー貯蔵システム３０の一例を説明する。図示するエネルギー貯蔵システム３０は、複数の構成要素として、システムコントローラ３１、ＰＣＳ（power conditioning system）３２、エネルギー制御ユニット３３及びエネルギー貯蔵ユニット３４を有する。図中、実線で通信線を示し、点線で電力線を示している。
【００４０】
システムコントローラ３１は、エネルギー貯蔵システム３０の全体を制御する。ＰＣＳ３２は、直流電力／交流電力の変換を行う。エネルギー貯蔵ユニット３４は、エネルギー（例：電力）を貯蔵する。エネルギー貯蔵ユニット３４は、例えば、エネルギーを貯めるセルスタックや、セル温度及び電圧等を監視するバッテリモニタ等を含んで構成されてもよい。エネルギー制御ユニット３３は、エネルギー貯蔵ユニット３４を制御する。エネルギー制御ユニット３３は、いわゆるＢＭＵ（battery management unit）やＢＭＳ（battery management system）等である。
【００４１】
上述の通り、システムコントローラ３１、ＰＣＳ３２、エネルギー制御ユニット３３及びエネルギー貯蔵ユニット３４は、各々、自身を識別する構成要素ＩＤを記憶する手段と、記憶している構成要素ＩＤを読み出し、監視装置２０に送信する手段とを有する。
【００４２】
システムコントローラ３１、ＰＣＳ３２、エネルギー制御ユニット３３及びエネルギー貯蔵ユニット３４各々は、監視装置２０から構成要素ＩＤの要求を受信する手段をさらに備えてもよい。そして、各々は、監視装置２０から構成要素ＩＤの要求を受信すると、当該要求に応じて構成要素ＩＤを監視装置２０に返信してもよい。
【００４３】
その他、システムコントローラ３１は、予め定められたタイミングの到来を検知する手段と、当該検知に応じて、ＰＣＳ３２、エネルギー制御ユニット３３及びエネルギー貯蔵ユニット３４各々に、構成要素ＩＤを監視装置２０に送信する指示を送信する手段とをさらに備えてもよい。そして、システムコントローラ３１は、当該指示の送信に応じて自身の構成要素ＩＤを監視装置２０に送信してもよい。また、ＰＣＳ３２、エネルギー制御ユニット３３及びエネルギー貯蔵ユニット３４各々は、当該指示を受信すると、当該指示に応じて構成要素ＩＤを監視装置２０に送信してもよい。
【００４４】
次に、監視装置２０について説明する。図４に、監視装置２０の機能ブロック図の一例を示す。図示するように、監視装置２０は、取得部２１と、通信部２２とを有する。
【００４５】
取得部２１は、確認対象のエネルギー貯蔵システム３０が備える複数の構成要素（以下、単に「複数の構成要素」という場合がある）を示す情報（対象情報）を取得する。そして、通信部２２は、取得部２１が取得した対象情報を判断装置１０に送信する。
【００４６】
確認対象のエネルギー貯蔵システム３０は、構成が正規か否かを確認する処理の対象であるエネルギー貯蔵システム３０を指す。なお、上述の通り、監視装置２０及びエネルギー貯蔵システム３０が１対１の場合、取得部２１は、対応するエネルギー貯蔵システム３０から対象情報を取得する。
【００４７】
取得部２１は、例えば、確認対象のエネルギー貯蔵システム３０が備える複数の構成要素各々から、各々の構成要素ＩＤを受信する。そして、通信部２２は、当該構成要素ＩＤを含む対象情報を判断装置１０に送信する。
【００４８】
他の例として、取得部２１は、複数の構成要素各々から、各々の識別番号を示す構成要素ＩＤを受信してもよい。そして、取得部２１は、当該識別番号に基づいた演算で送信値を算出してもよい。演算は、例えば複数の識別番号を足し合わせるものや、複数の識別番号の平均値を求めるもの等が例示されるが、これに限定されない。そして、通信部２２は当該送信値を含む対象情報を判断装置１０に送信してもよい。
【００４９】
取得部２１は、複数の構成要素各々に構成要素ＩＤの要求を送信し、それに応じて返信されてきた構成要素ＩＤを受信してもよい。その他、取得部２１は、エネルギー貯蔵システム３０の全体を制御する構成要素の指示に従い複数の構成要素各々が送信してきた構成要素ＩＤを受信してもよい。
【００５０】
前者の例の場合、取得部２１は、予め定められたタイミングの到来を検知する手段と、当該検知に応じて、複数の構成要素各々に構成要素ＩＤの要求を送信する手段とを有してもよい。その他、以下の実施形態で説明するが、判断装置１０が、上記タイミングの到来を検知する手段と、当該検知に応じて、判断装置１０に対象情報の要求を送信する手段とを有してもよい。そして、取得部２１は、判断装置１０からの対象情報の要求に応じて、複数の構成要素各々に構成要素ＩＤの要求を送信してもよい。
【００５１】
予め定められたタイミングは、「エネルギー貯蔵システム３０の電源がＯＮになったタイミング」、「判断装置１０から運転許可を受けていない状態で、エネルギー貯蔵システム３０を運転させる指示入力をエネルギー貯蔵システム３０が受付けたタイミング」、「運転許可を受けている否に関係なく、エネルギー貯蔵システム３０を運転させる指示入力をエネルギー貯蔵システム３０が受付けたタイミング」、「判断装置１０から運転許可を受けている状態で、予め定められた日時（例：毎月１日０時）が到来したタイミング」、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等が例示されるがこれらに限定されない。なお、取得部２１や判断装置１０は、上記タイミングを検知するための情報（エネルギー貯蔵システム３０を操作してなされた入力内容を示す情報等）をエネルギー貯蔵システム３０から受信し、当該情報に基づき上記タイミングを検知することができる。
【００５２】
次に、判断装置１０について説明する。図５に、判断装置１０の機能ブロック図の一例を示す。図示するように、判断装置１０は、正規情報取得部（情報取得部）１１と、対象情報取得部１２と、判断部１３とを有する。
【００５３】
正規情報取得部１１は、エネルギー貯蔵システム３０が備え、前記エネルギー貯蔵システム３０ごとに対応づけられている複数の構成要素を示す正規情報（第１の情報）を取得する。正規情報取得部１１は、（１）あらかじめデータベースなどに記憶されている「エネルギー貯蔵システム３０ごとに定められた複数の構成要素（システムコントローラ３１毎にシステムコントローラ３１以外の装置の構成要素を定めた情報を含んでもよい）」、（２）あらかじめデータベース等に記憶されている「メーカー(システムインテグレーター)がエネルギー貯蔵システム３０の製品ごとに安全基準を満たす複数の構成要素（装置）を定めた情報」、（３）あらかじめデータベース等に記憶されている「認証機関などで安全基準を満たすか試験され、リスト化された装置構成情報や、国際安全規格への適合を確認・認証された装置構成情報」、（４）あらかじめデータベース等に記憶されている「認証機関などで国際安全規格やその他安全規格を満たすことを確認された装置構成部品を使用するためのその他装置部品の構成情報や、その他装置部品との組み合わせが認証時のリストと合っていることを確認できる装置構成情報」を取得することができる。
【００５４】
例えば、正規情報取得部１１は、複数のエネルギー貯蔵システム３０各々に対応して正規情報を記憶する正規情報記憶部（第１の情報記憶部）から、確認対象のエネルギー貯蔵システム３０に対応する正規情報を取得してもよい。
【００５５】
図６に、正規情報記憶部が記憶する情報の一例を模式的に示す。図示する例では、エネルギー貯蔵システム３０を識別する情報に、正規なエネルギー貯蔵システム３０が備える複数の構成要素各々を識別する情報（構成要素ＩＤ）が対応付けられている。なお、１つのエネルギー貯蔵システム３０に対応して正規な構成要素の組み合わせが複数存在する場合（例：１つのユニット（例：エネルギー貯蔵ユニット）において使用可能なものが複数存在する場合）、１つのエネルギー貯蔵システム３０に対応して複数の組み合わせが正規情報記憶部に登録されてもよい。また、各構成要素がインストールしているソフトウェアの最新のバージョンが正規情報記憶部に登録されてもよい。
【００５６】
判断装置１０が、このような正規情報記憶部を備えてもよいし、判断装置１０と通信可能に構成された他の外部装置が正規情報記憶部を備えてもよい。
【００５７】
例えば、正規情報取得部１１は、確認対象のエネルギー貯蔵システム３０（構成を確認する処理の対象のエネルギー貯蔵システム３０）を監視する監視装置２０から、確認対象のエネルギー貯蔵システム３０を識別する情報（例：型番等）を取得してもよい。例えば、予め、監視装置２０内の記憶装置に、監視するエネルギー貯蔵システム３０を識別する情報が登録されてもよい。そして、監視装置２０は、当該情報を正規情報取得部１１に送信してもよい。その他、監視装置２０は、監視するエネルギー貯蔵システム３０からエネルギー貯蔵システム３０を識別する情報を取得し、正規情報取得部１１に送信してもよい。
【００５８】
そして、正規情報取得部１１は、確認対象のエネルギー貯蔵システム３０を識別する情報を取得すると、上記正規情報記憶部（不図示）から、確認対象のエネルギー貯蔵システム３０に対応する正規情報を取得してもよい。
【００５９】
正規情報取得部１１が正規情報を取得する処理の他の例として、正規情報取得部１１は、複数の顧客各々に対応して正規情報を記憶する正規情報記憶部（不図示）から、顧客に対応する正規情報を取得してもよい。
【００６０】
図７に、正規情報記憶部が記憶する情報の一例を模式的に示す。図示する例では、顧客を識別する情報に、当該顧客に関する正規なエネルギー貯蔵システム３０が備える複数の構成要素各々を識別する情報（構成要素ＩＤ）が対応付けられている。なお、１人の顧客に対応して正規な構成要素の組み合わせが複数存在する場合（例：１つのユニット（例：エネルギー貯蔵ユニット）において使用可能なものが複数存在する場合）、１人の顧客に対応して複数の組み合わせが正規情報記憶部に登録されてもよい。また、各構成要素がインストールしているソフトウェアの最新のバージョンが正規情報記憶部に登録されてもよい。
【００６１】
判断装置１０が、このような正規情報記憶部を備えてもよいし、判断装置１０と通信可能に構成された他の外部装置が正規情報記憶部を備えてもよい。
【００６２】
例えば、正規情報取得部１１は、確認対象のエネルギー貯蔵システム３０を監視する監視装置２０から、確認対象のエネルギー貯蔵システム３０に関する顧客を識別する情報を取得してもよい。例えば、予め、監視装置２０内の記憶装置に、当該顧客を識別する情報が登録されてもよい。そして、監視装置２０は、当該情報を正規情報取得部１１に送信してもよい。その他、監視装置２０は、監視するエネルギー貯蔵システム３０から当該顧客を識別する情報を取得し、正規情報取得部１１に送信してもよい。
【００６３】
そして、正規情報取得部１１は、確認対象のエネルギー貯蔵システム３０に関する顧客を識別する情報を取得すると、複数の顧客各々に対応して正規情報を記憶する正規情報記憶部（不図示）から、顧客に対応する正規情報を取得してもよい。
【００６４】
正規情報取得部１１が正規情報を取得する処理の他の例として、エネルギー貯蔵システム３０が自身の正規情報を記憶しておいてもよい。又は、監視装置２０が、対応するエネルギー貯蔵システム３０の正規情報を記憶しておいてもよい。そして、正規情報取得部１１は、監視装置２０及び／又はエネルギー貯蔵システム３０が記憶する正規情報を取得してもよい。
【００６５】
図５に戻り、対象情報取得部１２は、確認対象のエネルギー貯蔵システム３０が備える複数の構成要素を示す対象情報を取得する。対象情報取得部１２は、監視装置２０の通信部２２が送信した対象情報を受信する。
【００６６】
判断部１３は、正規情報取得部１１が取得した正規情報と、対象情報取得部１２が取得した対象情報とに基づき、確認対象のエネルギー貯蔵システム３０の構成が正規か否かを判断する。
【００６７】
例えば、判断部１３は、正規情報で示される複数の構成要素の組み合わせと、対象情報で示される複数の構成要素の組み合わせとが一致するか判断する。一致する場合、判断部１３は、「確認対象のエネルギー貯蔵システム３０は正規な構成」と判断する。一方、一致しない場合、判断部１３は、「確認対象のエネルギー貯蔵システム３０は正規でない構成」と判断する。
【００６８】
なお、上述の通り、対象情報取得部１２が取得する構成要素ＩＤには、インストールしているソフトウェアのバージョンが含まれてもよい。そして、正規情報取得部１１が取得する正規情報（正規品の構成要素ＩＤ）には、各構成要素がインストールしているソフトウェアの最新のバージョンが含まれてもよい。この場合、判断部１３は、少なくとも１つの構成要素において、インストールしているソフトウェアが最新のバージョンでない場合（すなわち、対象情報取得部１２が取得した構成要素ＩＤで示されるソフトウェアのバージョンと、正規情報で示されるソフトウェアのバージョンが一致しない場合）、「確認対象のエネルギー貯蔵システム３０は正規でない構成」と判断することとなる。一方、すべての構成要素において、インストールしているソフトウェアが最新のバージョンであり（すなわち、対象情報取得部１２が取得した構成要素ＩＤで示されるソフトウェアのバージョンと、正規情報で示されるソフトウェアのバージョンが一致）、かつ、対象情報取得部１２が取得した構成要素ＩＤに含まれるその他の情報が正規情報に含まれるその他の情報と一致する場合、「確認対象のエネルギー貯蔵システム３０は正規な構成」と判断することとなる。
【００６９】
その他、対象情報取得部１２が受信した対象情報が、確認対象のエネルギー貯蔵システム３０が備える複数の構成要素各々から取得した識別番号に基づいた演算で算出された送信値である場合、判断部１３は、正規情報で示される複数の構成要素各々に対応する識別番号に基づいた同様の演算で算出された正規値と、上記送信値とが一致するか判断する。一致する場合、判断部１３は、「確認対象のエネルギー貯蔵システム３０は正規な構成」と判断する。一方、一致しない場合、判断部１３は、「確認対象のエネルギー貯蔵システム３０は正規でない構成」と判断する。
【００７０】
なお、判断部１３は、上記判断結果（構成が正規か否か）に基づき、エネルギー貯蔵システム３０の運転を許可するか否かの判断を行ってもよい。判断部１３は、構成が正規である場合に運転を許可し、構成が正規でない場合に運転を許可しない。
【００７１】
判断装置１０は、判断部１３の判断結果を監視装置２０及びエネルギー貯蔵システム３０に送信してもよい。この場合、エネルギー貯蔵システム３０は、判断装置１０から運転許可を受けた場合に運転可能となり、運転許可を受けていない場合は運転不可となるよう構成される。例えば、エネルギー貯蔵システム３０全体を制御する構成要素（例：図３のシステムコントローラ３１）が、判断装置１０から通知される内容（運転許可か否か）に基づき、エネルギー貯蔵システム３０の動作を制御する。
【００７２】
また、判断装置１０は、確認対象のエネルギー貯蔵システムの構成が正規でないと判断すると、警告を出力してもよい。例えば、判断装置１０は、判断装置１０のオペレータに対して、ディスプレイやスピーカを介して警告を出力してもよい。
【００７３】
その他、判断装置１０は、警告を監視装置２０に送信してもよい。監視装置２０は、警告の受信に応じ、ユーザに向けて警告を出力してもよい。ユーザへの警告は、警告ランプの点灯、ディスプレイやスピーカを介してその旨の情報の出力等が例示されるが、これらに限定されない。
【００７４】
その他、監視装置２０は、判断装置１０から受信した警告をエネルギー貯蔵システム３０に送信してもよい。そして、エネルギー貯蔵システム３０は、警告の受信に応じ、ユーザに向けて警告を出力してもよい。ユーザへの警告は、警告ランプの点灯、ディスプレイやスピーカを介してその旨の情報の出力等が例示されるが、これらに限定されない。
【００７５】
その他、判断装置１０は、複数のエネルギー貯蔵システム３０各々に対応付けて警告送信先（例：電子メールアドレス）を登録しておいてもよい。そして、判断装置１０は、構成が正規でないと判断されたエネルギー貯蔵システム３０に対応する警告送信先に、電子メールで警告を送信してもよい。
【００７６】
また、判断装置１０は、確認対象のエネルギー貯蔵システムの構成が正規でないと判断すると、当該エネルギー貯蔵システム３０の運転を停止させる指示を出力してもよい。当該指示は、構成が正規でないと判断されたエネルギー貯蔵システム３０に対応する監視装置２０に送信される。監視装置２０は、当該指示を対応するエネルギー貯蔵システム３０に送信する。エネルギー貯蔵システム３０は、当該指示に従い、運転を停止する。
【００７７】
次に、図８のシーケンス図を用いて本実施形態の監視システムの処理の流れの一例を説明する。
【００７８】
「運転を許可されていない場合の処理例」
前準備として、判断装置１０は、正規なエネルギー貯蔵システム３０が備える複数の構成要素を示す正規情報を正規情報記憶部に登録する（Ｓ１０）。これにより、例えば、図６や図７に示される情報が正規情報記憶部に登録される。また、複数のエネルギー貯蔵システム３０各々は、正規な自システムが備える複数の構成要素を示す正規情報を自システムに登録する（Ｓ１１）。例えば、オペレータによる判断装置１０やエネルギー貯蔵システム３０の操作により、上記登録が実現されてもよい。
【００７９】
その後の所定のタイミングで、エネルギー貯蔵システム３０は自システムに登録されている正規情報を監視装置２０に送信する（Ｓ１２）。例えば、「エネルギー貯蔵システム３０の電源がＯＮになったタイミング」や、「エネルギー貯蔵システム３０を運転させる指示入力を受付けたタイミング」や、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等で、エネルギー貯蔵システム３０は、正規情報を監視装置２０に送信する。当該タイミングの検知は、エネルギー貯蔵システム３０が行ってもよいし、監視装置２０が行ってもよいし、判断装置１０が行ってもよい。
【００８０】
また、所定のタイミングで、エネルギー貯蔵システム３０を構成する複数の構成要素各々は、自ユニットを示す構成要素ＩＤ（対象情報）を監視装置２０に送信する（Ｓ１３）。例えば、「エネルギー貯蔵システム３０の電源がＯＮになったタイミング」や、「エネルギー貯蔵システム３０を運転させる指示入力を受付けたタイミング」や、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等で、複数の構成要素各々は、構成要素ＩＤを監視装置２０に送信する。当該タイミングの検知は、エネルギー貯蔵システム３０が行ってもよいし、監視装置２０が行ってもよいし、判断装置１０が行ってもよい。なお、Ｓ１２とＳ１３の順番は図示するものに限定されない。
【００８１】
その後、監視装置２０は、エネルギー貯蔵システム３０から受信した正規情報及び対象情報を判断装置１０に送信する（Ｓ１４）。監視装置２０は、これらの情報を一度に判断装置１０に送信してもよいし、分けて送信してもよい。例えば、図３に示すエネルギー貯蔵システム３０の対象情報を送信する場合、最初に、システムコントローラ３１の構成要素ＩＤを含む対象情報を送信し、その後、他の構成要素の構成要素ＩＤを含む対象情報を送信してもよい。
【００８２】
また、監視装置２０は、正規情報及び対象情報に加えて、監視対象のエネルギー貯蔵システム３０を識別する情報や、当該エネルギー貯蔵システム３０に関する顧客を識別する情報を取得し、判断装置１０に送信してもよい。監視装置２０は、エネルギー貯蔵システム３０から当該情報を受信してもよいし、自装置内に予め当該情報を記憶しておいてもよい。運転許可を受けていない場合、これらの情報が、運転許可の申し込みとともに判断装置１０に送信される。
【００８３】
判断装置１０は、監視対象のエネルギー貯蔵システム３０を識別する情報、又は、当該エネルギー貯蔵システム３０に関する顧客を識別する情報をキーとして正規情報記憶部を検索し（図６及び図７参照）、キーに対応する正規情報を取得する。そして、判断装置１０は、正規情報記憶部から取得した正規情報、監視装置２０から受信した正規情報、及び、監視装置２０から受信した対象情報を比較する（Ｓ１５）。
【００８４】
判断装置１０は、Ｓ１５の比較の結果、すべてが一致する場合、エネルギー貯蔵システム３０は正規な構成であると判断する。そして、判断装置１０は、運転を許可する旨を、監視装置２０に回答する（Ｓ１６）。
【００８５】
一方、Ｓ１５の比較の結果、少なくとも１つが一致しない場合、エネルギー貯蔵システム３０は正規な構成でないと判断する。そして、判断装置１０は、運転を許可しない旨を、監視装置２０に回答する（Ｓ１６）。
【００８６】
監視装置２０は、判断装置１０から受信した回答をエネルギー貯蔵システム３０に通知する（Ｓ１７）。エネルギー貯蔵システム３０は、通知された内容に基づき、自システムを制御する。すなわち、運転を許可する旨の回答を受信した場合、エネルギー貯蔵システム３０は運転可能な状態となる。一方、運転を許可しない旨の回答を受信した場合、エネルギー貯蔵システム３０は運転不可な状態となる。この場合、エネルギー貯蔵システム３０は、運転が許可されなかった旨をユーザに通知してもよい。通知手段は、ディスプレイ、スピーカ、メーラ、プリンター等の出力装置を用いて実現される。
【００８７】
「運転を許可されている場合の処理例」
運転を許可されている場合、図８のＳ１２乃至Ｓ１７が繰り返される。すなわち、監視装置２０は、所定のタイミングで、エネルギー貯蔵システム３０から正規情報及び対象情報を受信する（Ｓ１２及びＳ１３）。例えば、「予め定められた日時（例：毎月１日０時）が到来したタイミング」や、「エネルギー貯蔵システム３０の電源がＯＮになったタイミング」や、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等が例示されるがこれらに限定されない。当該タイミングの検知は、エネルギー貯蔵システム３０が行ってもよいし、監視装置２０が行ってもよいし、判断装置１０が行ってもよい。
【００８８】
以降、「運転を許可されていない場合の処理例」で説明した処理と同様の処理を繰り返す。なお、エネルギー貯蔵システム３０は、運転を許可する旨の回答を受信した場合（Ｓ１７）、そのまま運転を継続する。一方、運転を許可しない旨の回答を受信した場合（Ｓ１７）、エネルギー貯蔵システム３０は運転を中止する。この場合、エネルギー貯蔵システム３０は、運転が許可されなかった旨をユーザに通知してもよい。
【００８９】
次に、図９のシーケンス図を用いて本実施形態の監視システムの処理の流れの一例を説明する。
【００９０】
「運転を許可されていない場合の処理例」
前準備として、判断装置１０は、正規なエネルギー貯蔵システム３０が備える複数の構成要素を示す正規情報を正規情報記憶部に登録する（Ｓ２０）。これにより、例えば、図６や図７に示される情報が正規情報記憶部に登録される。例えば、オペレータによる判断装置１０の操作により、上記登録が実現されてもよい。
【００９１】
その後の所定のタイミングで、エネルギー貯蔵システム３０を構成する複数の構成要素各々は、自ユニットを示す構成要素ＩＤ（対象情報）を監視装置２０に送信する（Ｓ２１）。例えば、「エネルギー貯蔵システム３０の電源がＯＮになったタイミング」や、「エネルギー貯蔵システム３０を運転させる指示入力を受付けたタイミング」や、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等で、複数の構成要素各々は、構成要素ＩＤを監視装置２０に送信する。当該タイミングの検知は、エネルギー貯蔵システム３０が行ってもよいし、監視装置２０が行ってもよいし、判断装置１０が行ってもよい。
【００９２】
その後、監視装置２０は、エネルギー貯蔵システム３０から受信した対象情報を判断装置１０に送信する（Ｓ２２）。監視装置２０は、対象情報を一度に判断装置１０に送信してもよいし、分けて送信してもよい。例えば、図３に示すエネルギー貯蔵システム３０の対象情報を送信する場合、最初に、システムコントローラ３１の構成要素ＩＤを含む対象情報を送信し、その後、他の構成要素の構成要素ＩＤを含む対象情報を送信してもよい。
【００９３】
また、監視装置２０は、対象情報に加えて、監視対象のエネルギー貯蔵システム３０を識別する情報や、当該エネルギー貯蔵システム３０に関する顧客を識別する情報を取得し、判断装置１０に送信してもよい。監視装置２０は、エネルギー貯蔵システム３０から当該情報を受信してもよいし、自装置内に予め当該情報を記憶しておいてもよい。運転許可を受けていない場合、これらの情報が、運転許可の申し込みとともに判断装置１０に送信される。
【００９４】
判断装置１０は、監視対象のエネルギー貯蔵システム３０を識別する情報、又は、当該エネルギー貯蔵システム３０に関する顧客を識別する情報をキーとして正規情報記憶部を検索し（図６及び図７参照）、キーに対応する正規情報を取得する。そして、判断装置１０は、正規情報記憶部から取得した正規情報、及び、監視装置２０から受信した対象情報を比較する（Ｓ２３）。
【００９５】
判断装置１０は、Ｓ２３の比較の結果、一致する場合、エネルギー貯蔵システム３０は正規な構成であると判断する。そして、判断装置１０は、運転を許可する旨を、監視装置２０に回答する（Ｓ２４）。
【００９６】
一方、判断装置１０は、Ｓ２３の比較の結果、一致しない場合、エネルギー貯蔵システム３０は正規な構成でないと判断する。そして、判断装置１０は、運転を許可しない旨を、監視装置２０に回答する（Ｓ２４）。
【００９７】
監視装置２０は、判断装置１０から受信した回答をエネルギー貯蔵システム３０に通知する（Ｓ２５）。エネルギー貯蔵システム３０は、通知された内容に基づき、自システムを制御する。すなわち、運転を許可する旨の回答を受信した場合、エネルギー貯蔵システム３０は運転可能な状態となる。一方、運転を許可しない旨の回答を受信した場合、エネルギー貯蔵システム３０は運転不可な状態となる。この場合、エネルギー貯蔵システム３０は、運転が許可されなかった旨をユーザに通知してもよい。通知手段は、ディスプレイ、スピーカ、メーラ、プリンター等の出力装置を用いて実現される。
【００９８】
「運転を許可されている場合の処理例」
運転を許可されている場合、図９のＳ２１乃至Ｓ２５が繰り返される。すなわち、監視装置２０は、所定のタイミングで、エネルギー貯蔵システム３０から対象情報を受信する（Ｓ２１）。例えば、「予め定められた日時（例：毎月１日０時）が到来したタイミング」や、「エネルギー貯蔵システム３０の電源がＯＮになったタイミング」や、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等が例示されるがこれらに限定されない。当該タイミングの検知は、エネルギー貯蔵システム３０が行ってもよいし、監視装置２０が行ってもよいし、判断装置１０が行ってもよい。
【００９９】
以降、「運転を許可されていない場合の処理例」で説明した処理と同様の処理を繰り返す。なお、エネルギー貯蔵システム３０は、運転を許可する旨の回答を受信した場合（Ｓ２５）、そのまま運転を継続する。一方、運転を許可しない旨の回答を受信した場合（Ｓ２５）、エネルギー貯蔵システム３０は運転を中止する。この場合、エネルギー貯蔵システム３０は、運転が許可されなかった旨をユーザに通知してもよい。
【０１００】
次に、図１０のシーケンス図を用いて本実施形態の監視システムの処理の流れの一例を説明する。
【０１０１】
「運転を許可されていない場合の処理例」
前準備として、複数のエネルギー貯蔵システム３０各々は、正規な自システムが備える複数の構成要素を示す正規情報を自システムに登録する（Ｓ３０）。例えば、オペレータによるエネルギー貯蔵システム３０の操作により、上記登録が実現されてもよい。
【０１０２】
その後の所定のタイミングで、エネルギー貯蔵システム３０は自システムに登録されている正規情報を監視装置２０に送信する（Ｓ３１）。例えば、「エネルギー貯蔵システム３０の電源がＯＮになったタイミング」や、「エネルギー貯蔵システム３０を運転させる指示入力を受付けたタイミング」や、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等で、エネルギー貯蔵システム３０は、正規情報を監視装置２０に送信する。当該タイミングの検知は、エネルギー貯蔵システム３０が行ってもよいし、監視装置２０が行ってもよいし、判断装置１０が行ってもよい。
【０１０３】
また、所定のタイミングで、エネルギー貯蔵システム３０を構成する複数の構成要素各々は、自ユニットを示す構成要素ＩＤ（対象情報）を監視装置２０に送信する（Ｓ３２）。例えば、「エネルギー貯蔵システム３０の電源がＯＮになったタイミング」や、「エネルギー貯蔵システム３０を運転させる指示入力を受付けたタイミング」や、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等で、複数の構成要素各々は、構成要素ＩＤを監視装置２０に送信する。当該タイミングの検知は、エネルギー貯蔵システム３０が行ってもよいし、監視装置２０が行ってもよいし、判断装置１０が行ってもよい。なお、Ｓ３１とＳ３２の順番は図示するものに限定されない。
【０１０４】
その後、監視装置２０は、エネルギー貯蔵システム３０から受信した正規情報及び対象情報を判断装置１０に送信する（Ｓ３３）。監視装置２０は、これらの情報を一度に判断装置１０に送信してもよいし、分けて送信してもよい。例えば、図３に示すエネルギー貯蔵システム３０の対象情報を送信する場合、最初に、システムコントローラ３１の構成要素ＩＤを含む対象情報を送信し、その後、他の構成要素の構成要素ＩＤを含む対象情報を送信してもよい。
【０１０５】
また、監視装置２０は、正規情報及び対象情報に加えて、監視対象のエネルギー貯蔵システム３０を識別する情報や、当該エネルギー貯蔵システム３０に関する顧客を識別する情報を取得し、判断装置１０に送信してもよい。監視装置２０は、エネルギー貯蔵システム３０から当該情報を受信してもよいし、自装置内に予め当該情報を記憶しておいてもよい。運転許可を受けていない場合、これらの情報が、運転許可の申し込みとともに判断装置１０に送信される。
【０１０６】
判断装置１０は、監視装置２０から受信した正規情報、及び、監視装置２０から受信した対象情報を比較する（Ｓ３４）。
【０１０７】
判断装置１０は、Ｓ３４の比較の結果、一致する場合、エネルギー貯蔵システム３０は正規な構成であると判断する。そして、判断装置１０は、運転を許可する旨を、監視装置２０に回答する（Ｓ３５）。
【０１０８】
一方、Ｓ３４の比較の結果、一致しない場合、エネルギー貯蔵システム３０は正規な構成でないと判断する。そして、判断装置１０は、運転を許可しない旨を、監視装置２０に回答する（Ｓ３５）。
【０１０９】
監視装置２０は、判断装置１０から受信した回答をエネルギー貯蔵システム３０に通知する（Ｓ３６）。エネルギー貯蔵システム３０は、通知された内容に基づき、自システムを制御する。すなわち、運転を許可する旨の回答を受信した場合、エネルギー貯蔵システム３０は運転可能な状態となる。一方、運転を許可しない旨の回答を受信した場合、エネルギー貯蔵システム３０は運転不可な状態となる。この場合、エネルギー貯蔵システム３０は、運転が許可されなかった旨をユーザに通知してもよい。通知手段は、ディスプレイ、スピーカ、メーラ、プリンター等の出力装置を用いて実現される。
【０１１０】
「運転を許可されている場合の処理例」
運転を許可されている場合、Ｓ３１乃至Ｓ３６が繰り返される。すなわち、監視装置２０は、所定のタイミングで、エネルギー貯蔵システム３０から正規情報及び対象情報を受信する（Ｓ３１及びＳ３２）。例えば、「予め定められた日時（例：毎月１日０時）が到来したタイミング」や、「エネルギー貯蔵システム３０の電源がＯＮになったタイミング」や、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等が例示されるがこれらに限定されない。当該タイミングの検知は、エネルギー貯蔵システム３０が行ってもよいし、監視装置２０が行ってもよいし、判断装置１０が行ってもよい。
【０１１１】
以降、「運転を許可されていない場合の処理例」で説明した処理と同様の処理を繰り返す。なお、エネルギー貯蔵システム３０は、運転を許可する旨の回答を受信した場合（Ｓ３６）、そのまま運転を継続する。一方、運転を許可しない旨の回答を受信した場合（Ｓ３６）、エネルギー貯蔵システム３０は運転を中止する。この場合、エネルギー貯蔵システム３０は、運転が許可されなかった旨をユーザに通知してもよい。
【０１１２】
次に、本実施形態の変形例を説明する。
【０１１３】
本実施形態では、判断装置１０が、「正規情報と対象情報に基づき、確認対象のエネルギー貯蔵システム３０の構成が正規か否かを判断する手段（判断部１３）」を有する例を説明したが、監視装置２０が当該手段を有してもよい。
【０１１４】
図８に示す処理例の場合、監視装置２０は、判断装置１０から正規情報（Ａ）を取得し、エネルギー貯蔵システム３０から正規情報（Ｂ）及び対象情報（Ｃ）を取得し、正規情報（Ａ）、正規情報（Ｂ）及び対象情報（Ｃ）の比較を行う。図９に示す処理例の場合、監視装置２０は、判断装置１０から正規情報（Ａ）を取得し、エネルギー貯蔵システム３０から対象情報（Ｃ）を取得し、正規情報（Ａ）及び対象情報（Ｃ）の比較を行う。図１０に示す処理例の場合、監視装置２０は、エネルギー貯蔵システム３０から正規情報（Ｂ）及び対象情報（Ｃ）を取得し、正規情報（Ｂ）及び対象情報（Ｃ）の比較を行う。
【０１１５】
当該変形例の場合、監視装置２０は、判断結果を判断装置１０に通知する。そして、判断装置１０は、通知された内容に基づき、エネルギー貯蔵システム３０の状態（構成・運転許可状態）を管理する。運転許可の判断は、判断装置１０が行ってもよいし、監視装置２０が行ってもよい。
【０１１６】
他の変形例として、本実施形態では、エネルギー貯蔵システム３０が備える複数の構成要素すべてが、構成要素ＩＤを記憶する手段、及び、構成要素ＩＤを監視装置２０に送信する手段を有する例を説明したが、一部の構成要素はこれらを備えなくてもよい。以下、これらの手段を備えない構成要素を、「不対応構成要素」という。
【０１１７】
当該変形例の場合、不対応構成要素を識別する情報を、他の構成要素が取得し、監視装置２０に送信することとなる。例えば、不対応構成要素は、図３に示すエネルギー貯蔵ユニット３４である。そして、例えばＰＣＳ３２が、エネルギー貯蔵ユニット３４を識別する情報を取得し、監視装置２０に送信する。例えば、ＰＣＳ３２は、エネルギー貯蔵システム３０に、所定のテストパターン（例：電流［Ａ］又は出入力電力［ｋＷ］のパターン）で充放電動作を行わせる。そして、エネルギー貯蔵システム３０は、当該充放電動作時の測定データ（例：電圧。充放電特性（例：充放電カーブ）を示す情報。）を取得し、エネルギー貯蔵ユニット３４を識別する情報として監視装置２０に送信する。
【０１１８】
測定データは、３つのパターンが考えられる。１つ目は、全体電圧（セルスタックの電圧）を測定するパターンである。２つ目は、セルスタックが含む複数のブロック各々の電圧（各ブロックの電圧）を測定するパターンである。３つ目は、各ブロックが含む複数のセル各々の電圧（各セルの電圧）を測定するパターンである。いずれであってもエネルギー貯蔵ユニット３４を識別できるが、セルごとの電圧とした方がより正確に判断できる。
【０１１９】
エネルギー貯蔵ユニット３４にセルモニターなどの監視基板が設けられている場合には、セル電圧測定はエネルギー貯蔵ユニットにて行うことができる。その場合、監視装置２０は、エネルギー貯蔵ユニット３４から直接測定データを取得してもよいし、エネルギー制御ユニット３３を介して取得してもよい。
【０１２０】
エネルギー貯蔵ユニット３４にセルモニターが設けられていない場合、エネルギー制御ユニット３３でセル電圧測定を行ってもよい。そして、監視装置２０は、エネルギー制御ユニット３３から測定データを取得してもよい。
【０１２１】
その他、ＰＣＳ３２が、全体電圧（セルスタックの電圧）を測定してもよい。そして、監視装置２０は、ＰＣＳ３２から測定データを取得してもよい。
【０１２２】
なお、エネルギー貯蔵ユニット３４が複数のブロックに分割されている場合、各ブロックの電圧は、エネルギー制御ユニット３３もしくはモジュール毎のモニター基板で測定することができる。そして、監視装置２０は、エネルギー貯蔵ユニット３４やエネルギー制御ユニット３３から測定データを取得することができる。
【０１２３】
監視装置２０の取得部２１が当該測定データ（充放電特性を示す情報）を受信すると、取得部２１は当該測定データ（充放電特性を示す情報）を含む対象情報を判断装置１０に送信する。例えば、ＰＣＳ３２は、エネルギー貯蔵ユニット３４の測定データを監視装置２０に送信し、監視装置２０はＰＣＳ３２を介してエネルギー貯蔵ユニット３４の測定データを受信する。判断装置１０は、受信した測定データ（充放電特性を示す情報）に基づき、エネルギー貯蔵ユニット３４を識別する。例えば、判断装置１０は、複数のエネルギー貯蔵ユニット３４各々に対応付けて、充放電特性を示す情報を予め保持しておいてもよい（図１１参照）。そして、当該情報、及び、受信した測定データ（充放電特性を示す情報）に基づき、エネルギー貯蔵ユニット３４を識別してもよい。
【０１２４】
他の変形例として、上述の通り、監視装置２０は、複数の構成要素各々の構成要素ＩＤ（対象情報）を分けて判断装置１０に送信することができる（図８のＳ１４、図９のＳ２２及び図１０のＳ３３）。
【０１２５】
システムコントローラ３１、ＰＣＳ３２、エネルギー制御ユニット３３、エネルギー貯蔵ユニット３４の構成要素ＩＤを含む対象情報を判断装置１０に送信すると、判断装置１０にて複数の構成要素ＩＤを含む対象情報と対応する正規情報とを比較する必要がある。しかし、対象情報と識別情報などが一緒に送信されていない場合、正規情報記憶部に記憶されている多くの正規情報の中から対応する正規情報を抽出して比較しなければいけないため、対象情報が正規か否かの検討に時間を要する恐れがある。
【０１２６】
そこで、まずシステムコントローラ３１に関する構成要素ＩＤを判断装置１０に送信してもよい。そして、判断装置１０は、受信したシステムコントローラ３１の構成要素ＩＤを用いて、当該システムコントローラ３１に対応するシステムコントローラ３１以外の複数の構成要素ＩＤを含む正規情報を抽出してもよい。また、判断装置１０から監視装置２０を経由してエネルギー貯蔵システム３０に対してＡＣＫが送信されると、システムコントローラ３１以外の構成要素（ＰＣＳ３２、エネルギー制御ユニット３３、エネルギー貯蔵ユニット３４など）の構成要素ＩＤを含む対象情報が判断装置１０に送信されてもよい。
【０１２７】
判断装置１０は、（システムコントローラ３１以外の）抽出した正規情報と対象情報とを比較することで簡単に正規か否かを判断することができる。この変形例の場合、システムコントローラ３１の構成要素ＩＤを、上述した「エネルギー貯蔵システム３０を識別する情報」の代わりとして用いることができる。なお、当該変形例においては、正規情報記憶部は、システムコントローラ３１の構成要素ＩＤに紐付けて、システムコントローラ３１以外の複数の構成要素（ＰＣＳ３２、エネルギー制御ユニット３３、エネルギー貯蔵ユニット３４など）の構成要素ＩＤを記憶している。
【０１２８】
次に、本実施形態の作用効果を説明する。
【０１２９】
本実施形態の判断装置１０は、正規なエネルギー貯蔵システム３０が備える複数の構成要素を示す正規情報と、確認対象のエネルギー貯蔵システム３０が備える複数の構成要素を示す対象情報とに基づき、確認対象のエネルギー貯蔵システム３０の構成が正規か否かを判断することができる。本実施形態の監視システムによれば、判断装置１０の判断結果に基づき、エネルギー貯蔵システム３０の複数の構成要素の組み合わせが正規な状態から外れたことを検知することができる。
【０１３０】
また、本実施形態の監視システムによれば、判断装置１０の判断結果に基づき、複数のエネルギー貯蔵システム３０の運転を制御することができる。そして、複数の構成要素の組み合わせが正規な状態から外れたエネルギー貯蔵システム３０の運転を停止させ、複数の構成要素の組み合わせが正規な状態であるエネルギー貯蔵システム３０のみ運転を行わせることができる。このため、複数の構成要素の組み合わせが正規な状態から外れたエネルギー貯蔵システム３０の運転による不測の事態（例：事故）の発生を抑制することができる。
【０１３１】
また、本実施形態の監視システムによれば、確認対象のエネルギー貯蔵システム３０が備える複数の構成要素各々から構成要素ＩＤを取得し、対象情報として利用することができる。このため、構成要素ＩＤを記憶する手段や、記憶している構成要素ＩＤを読み出し、監視装置２０に送信する手段等を有さない模倣ユニットがエネルギー貯蔵システム３０に組み込まれた場合、それを効率的に検出できる。
【０１３２】
また、本実施形態の監視システムの場合、運転開始前の所定のタイミング（「エネルギー貯蔵システム３０の電源がＯＮになったタイミング」、「エネルギー貯蔵システム３０を運転させる指示入力を受付けたタイミング」、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等）で、エネルギー貯蔵システム３０の構成が正規か否かを判断することができる。このため、正規な構成でないエネルギー貯蔵システム３０が動作する不都合を未然に抑えることができる。
【０１３３】
また、本実施形態の監視システムの場合、運転許可を出した後も、定期的に、そのエネルギー貯蔵システム３０の構成が正規か否かを繰り返し判断することができる。このため、運転許可を出した後に一部構成要素が変更される不都合をも漏らさず抑制することができる。
【０１３４】
また、本実施形態の監視システムの場合、エネルギー貯蔵システム３０の電源がＯＮになったタイミングで、エネルギー貯蔵システム３０の構成が正規か否かを判断することができる。通常、エネルギー貯蔵システム３０の改造は、電源をＯＦＦにした状態で行われると考えられる。エネルギー貯蔵システム３０の電源がＯＮになったタイミングで、エネルギー貯蔵システム３０の構成が正規か否かを判断することで、より早い段階で、正規な構成でないエネルギー貯蔵システム３０を検出することができる。
【０１３５】
＜第２の実施形態＞
本実施形態の監視システムは、判断装置１０が対象情報を要求するタイミングを検出する。監視装置２０及びエネルギー貯蔵システム３０の構成は、第１の実施形態と同様である。
【０１３６】
図１２に、本実施形態の判断装置１０の機能ブロック図の一例を示す。図示するように、判断装置１０は、正規情報取得部１１と、対象情報取得部１２と、判断部１３と、要求部１４とを有する。正規情報取得部１１、対象情報取得部１２及び判断部１３の構成は、第１の実施形態と同様である。
【０１３７】
要求部１４は、所定のタイミングで、監視装置２０に対象情報を要求する。
【０１３８】
例えば、要求部１４は、エネルギー貯蔵システム３０の状態を示す状態データに基づき、対象情報を要求するタイミングを決定してもよい。
【０１３９】
状態データは、直近の所定期間（例：１時間、１日、１週間、１０日等）内の積算充電電力量［Ｗｈ］、直近の所定期間内の積算放電電力量［Ｗｈ］、直近の所定期間内のエネルギー貯蔵システム３０の温度の統計値（例：平均値、最大値、最小値、最頻値、中央値等）、及び、直近の所定期間内のエネルギー貯蔵システム３０の電池電圧の統計値（例：平均値、最大値、最小値、最頻値、中央値等）の中の少なくとも１つを含む。要求部１４は、監視装置２０又はエネルギー貯蔵システム３０から、当該状態データを取得することができる。
【０１４０】
そして、要求部１４は、状態データの値が参照値から所定レベル以上乖離すると、対象情報を要求することができる。参照値は、当該エネルギー貯蔵システム３０の過去の所定期間分の状態データの統計値（例：平均値、最大値、最小値、最頻値、中央値等）であってもよいし、予め定められた値であってもよい。
【０１４１】
その他の例として、要求部１４は、エネルギー貯蔵システム３０から運転許可の申し込みがあると、当該エネルギー貯蔵システム３０を監視する監視装置２０に対象情報を要求してもよい。
【０１４２】
その他の例として、要求部１４は、エネルギー貯蔵システム３０の設置に応じて、エネルギー貯蔵システム３０を監視する監視装置２０に対象情報を要求してもよい。例えば、要求部１４は、「判断装置１０から運転許可を受けていない状態で、エネルギー貯蔵システム３０を運転させる指示入力をエネルギー貯蔵システム３０が受付けたこと」を検出することで、「エネルギー貯蔵システム３０の設置」を検出してもよい。その他、エネルギー貯蔵システム３０を設置すると、エネルギー貯蔵システム３０を操作して初期設定を行う必要がある場合、当該初期設定を行う操作を検出することで、エネルギー貯蔵システム３０の設置を検出してもよい。
【０１４３】
その他の例として、要求部１４は、予め定められたスケジュール（例：毎月１日０時。１週間毎。）に基づき、定期的に、エネルギー貯蔵システム３０を監視する監視装置２０に対象情報を要求してもよい。
【０１４４】
その他の例として、要求部１４は、エネルギー貯蔵システム３０に対するメンテナンスの検出に応じて、エネルギー貯蔵システム３０を監視する監視装置２０に対象情報を要求してもよい。メンテナンスは、リフレッシュ充電（容量測定）や機器のメンテナンス等が例示される。要求部１４は、エネルギー貯蔵システム３０に設けられたセンサがセンシングしたセンサ情報を取得し、当該センサ情報に基づきメンテナンスを検出することができる。例えば、磁気センサを用いて、エネルギー貯蔵システム３０が備える所定の開閉部材の開閉を検出することで、メンテナンスを検出してもよい。
【０１４５】
その他の例として、要求部１４は、エネルギー貯蔵システム３０の部品が交換されたことの検出に応じて、エネルギー貯蔵システム３０を監視する監視装置２０に対象情報を要求してもよい。要求部１４は、エネルギー貯蔵システム３０に設けられたセンサがセンシングしたセンサ情報を取得し、当該センサ情報に基づきメンテナンスを検出することができる。例えば、磁気センサを用いて、所定の部品が所定の設置位置から離れたことを検出することで、部品の交換を検出してもよい。
【０１４６】
その他の例として、要求部１４は、「エネルギー貯蔵システム３０の電源がＯＮになったタイミング」、「判断装置１０から運転許可を受けていない状態で、エネルギー貯蔵システム３０を運転させる指示入力をエネルギー貯蔵システム３０が受付けたタイミング」、「運転許可を受けている否に関係なく、エネルギー貯蔵システム３０を運転させる指示入力をエネルギー貯蔵システム３０が受付けたタイミング」、「判断装置１０から運転許可を受けている状態で、予め定められた日時（例：毎月１日０時）が到来したタイミング」、「運転許可の申し込みがあったタイミング（エネルギー貯蔵システム３０が運転許可の申し込みの入力を受付けたタイミング、監視装置２０が当該申し込みを対応するエネルギー貯蔵システム３０から受信したタイミング、判断装置１０が当該申し込みを監視装置２０から受信したタイミング等）」等を検出すると、当該エネルギー貯蔵システム３０を監視する監視装置２０に対象情報を要求してもよい。なお、要求部１４は、上記タイミングを検知するための情報（エネルギー貯蔵システム３０を操作してなされた入力内容を示す情報等）をエネルギー貯蔵システム３０から受信し、当該情報に基づき上記タイミングを検知することができる。
【０１４７】
次に、図１３のフローチャートを用いて、本実施形態の要求部１４の処理の流れの一例を説明する。
【０１４８】
要求部１４は、エネルギー貯蔵システム３０からの運転許可の申し込み待ち状態となっている（Ｓ７０）。そして、運転許可の申し込みがあると、要求部１４は、当該エネルギー貯蔵システム３０を監視する監視装置２０に対象情報を要求する（Ｓ７１）。これに応じて、第１の実施形態で説明した「運転を許可されていない場合の処理例」の一部（図８のＳ１２乃至Ｓ１７の処理、図９のＳ２１乃至Ｓ２５の処理、又は、図１０のＳ３１乃至Ｓ３６）が行われる。
【０１４９】
次に、図１４のフローチャートを用いて、本実施形態の要求部１４の他の処理の流れの一例を説明する。
【０１５０】
要求部１４は、運転を許可しているエネルギー貯蔵システム３０の状態データを、エネルギー貯蔵システム３０又は監視装置２０から繰り返し受信する（Ｓ８０）。そして、要求部１４は、最新の状態データが、通常時の状態データから所定レベル以上乖離しているか判断する（Ｓ８１）。
【０１５１】
乖離していない場合（Ｓ８１のＮｏ）、Ｓ８０に戻って同様の処理を繰り返す。一方、乖離している場合（Ｓ８１のＹｅｓ）、要求部１４は、当該エネルギー貯蔵システム３０を監視する監視装置２０に対象情報を要求する（Ｓ８２）。これに応じて、第１の実施形態で説明した「運転を許可されている場合の処理例」の一部（図８のＳ１２乃至Ｓ１７の処理、図９のＳ２１乃至Ｓ２５の処理、又は、図１０のＳ３１乃至Ｓ３６）が行われる。
【０１５２】
ここで、本実施形態の変形例を説明する。要求部１４は、以下のようなタイミングで、対象情報を要求するタイミングを決定してもよい。
【０１５３】
「例１」
例１では、監視装置２０及び／又はエネルギー貯蔵システム３０に各種センサが取り付けられる。要求部１４は、需要家側に設置された所定の端末を経由して、各種センサのセンサ情報を取得する。そして、要求部１４は、当該センサ情報に基づき、監視装置２０に上記要求を送信することを決定する。上記所定の端末は、監視装置２０やエネルギー貯蔵システム３０であってもよいし、その他であってもよい。
【０１５４】
なお、各種センサは、監視装置２０やエネルギー貯蔵システム３０の電源とは別の電源を備え、監視装置２０やエネルギー貯蔵システム３０の電源のスイッチがＯＦＦになった場合も、センシング、及び、センサ情報の送信を継続するよう構成されてもよい。
【０１５５】
「例１−１」
当該例では、要求部１４は、振動センサから取得したセンサ情報に基づき、エネルギー貯蔵システム３０に所定レベル以上の振動があったことを検出する。そして、要求部１４は、当該検出に応じて、監視装置２０に上記要求を送信することを決定する。
【０１５６】
エネルギー貯蔵システム３０を改造等する場合、エネルギー貯蔵システム３０に所定レベル以上の振動が発生すると考えられる。当該検出に応じて、エネルギー貯蔵システム３０の構成が正規か否かを確認することで、改造等を早期に検出することができる。
【０１５７】
なお、改造中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、所定レベル以上の振動を検出すると、その後、監視装置２０と通信可能になったタイミングで、上記要求を送信してもよい。
【０１５８】
「例１−２」
当該例では、要求部１４は、センサ情報に基づき、エネルギー貯蔵システム３０に備えられた開閉部材が開かれたことを検出する。そして、要求部１４は、当該検出に応じて、監視装置２０に上記要求を送信することを決定する。
【０１５９】
開閉部材は、例えば、エネルギー貯蔵システム３０の構成部品が収納された空間と外部空間とを仕切る部材であってもよい。エネルギー貯蔵システム３０を改造等する場合、このような開閉部材が開かれると考えられる。当該検出に応じて、エネルギー貯蔵システム３０の構成が正規か否かを確認することで、改造等を早期に検出することができる。
【０１６０】
なお、改造中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、開閉部材が開かれたことを検出すると、その後、監視装置２０と通信可能になったタイミングで、上記要求を送信してもよい。
【０１６１】
なお、開閉部材が開かれたことを検出するセンサは、磁気センサ等が例示されるが、これに限定されない。
【０１６２】
「例１−３」
当該例では、要求部１４は、センサ情報に基づき、エネルギー貯蔵システム３０が備える複数の構成要素（図３のシステムコントローラ３１、ＰＣＳ３２、エネルギー制御ユニット３３及びエネルギー貯蔵ユニット３４等）の接続状態（例：通信線や電力線の接続状態）が解除されたことを検出する。そして、当該検出に応じて、監視装置２０に上記要求を送信することを決定する。
【０１６３】
エネルギー貯蔵システム３０の改造により、複数の構成要素の一部が安価品に置き代えられたりする。当該検出に応じて、エネルギー貯蔵システム３０の構成が正規か否かを確認することで、改造等を早期に検出することができる。
【０１６４】
なお、改造中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、複数の構成要素の接続状態が解除されたことを検出すると、その後、監視装置２０と通信可能になったタイミングで、上記要求を送信してもよい。
【０１６５】
なお、複数の構成要素の接続状態が解除されたことを検出するセンサは、磁気センサ（例：複数の構成要素が所定レベル以上離れたことを検出）等が例示されるが、これに限定されない。
【０１６６】
「例１−４」
当該例では、要求部１４は、センサ情報に基づき、エネルギー貯蔵システム３０と監視装置２０の接続状態（例：通信線の接続状態）が解除されたことを検出する。そして、当該検出に応じて、監視装置２０に上記要求を送信することを決定する。
【０１６７】
エネルギー貯蔵システム３０を改造する際、周辺機器との接続状態を解除すると考えられる。当該検出に応じて、エネルギー貯蔵システム３０の構成が正規か否かを確認することで、改造等を早期に検出することができる。
【０１６８】
なお、改造中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、監視装置２０とエネルギー貯蔵システム３０の接続状態が解除されたことを検出すると、その後、監視装置２０と通信可能になったタイミングで、上記要求を送信してもよい。
【０１６９】
なお、監視装置２０とエネルギー貯蔵システム３０の接続状態が解除されたことを検出するセンサは、磁気センサ（例：監視装置２０及びエネルギー貯蔵システム３０が所定レベル以上離れたことを検出、監視装置２０及び／又はエネルギー貯蔵システム３０と通信線の端子（監視装置２０及びエネルギー貯蔵システム３０を結ぶ通信線の端子と）とが所定レベル以上離れたことを検出）等が例示されるが、これに限定されない。
【０１７０】
「例２」
例２では、監視装置２０及び／又はエネルギー貯蔵システム３０にカメラが取り付けられる。要求部１４は、需要家側に設置された所定の端末を経由して、カメラが撮影した画像データを取得する。そして、要求部１４は、画像データに基づき、監視装置２０に要求を送信することを決定する。上記所定の端末は、監視装置２０やエネルギー貯蔵システム３０であってもよいし、その他であってもよい。
【０１７１】
例えば、カメラは、所定時間毎（例：１日毎、１週間毎、１０日毎、１カ月毎）に静止画像を撮像してもよいし、連続的に動画像を撮像してもよい。カメラは、エネルギー貯蔵システム３０の外部環境を撮影してもよいし、エネルギー貯蔵システム３０の内部を撮影してもよい。
【０１７２】
エネルギー貯蔵システム３０を改造する際、設置場所と異なる場所に移動したり、又、その場で向きを変えたりすることにより、カメラが撮影する外部環境の画像が変化すると考えられる。また、エネルギー貯蔵システム３０を改造した結果、エネルギー貯蔵システム３０の内部環境の風景が異なり（部品の変更等）、改造前後で画像が変化すると考えらえる。要求部１４は、画像データを解析し、２つのフレーム間における所定レベル以上の画像の変化を検出する。そして、当該検出に応じて、監視装置２０に上記要求を送信することを決定する。当該検出に応じて、エネルギー貯蔵システム３０の構成が正規か否かを確認することで、改造等を早期に検出することができる。
【０１７３】
なお、改造中は、監視装置２０やエネルギー貯蔵システム３０の電源スイッチがＯＦＦになっていることが想定される。この場合、判断装置１０は、監視装置２０やエネルギー貯蔵システム３０と通信できない。そこで、判断装置１０は、所定レベル以上の画像の変化を検出すると、その後、監視装置２０と通信可能になったタイミングで、上記要求を送信してもよい。
【０１７４】
「例３」
例３では、要求部１４は、予め定められた日時（例：毎日０時、月曜日の０時、各月の１日の０時等）になったことの検出に応じて、監視装置２０に上記要求を送信することを決定する。なお、要求部１４は、運転を許可しているエネルギー貯蔵システム３０に対応する監視装置２０に、当該タイミングで上記要求を送信してもよい。
【０１７５】
定期的にエネルギー貯蔵システム３０の設置位置が正規か否かを確認することで、改造等を早期に検出することができる。
【０１７６】
「例４」
例４では、要求部１４は、判断装置１０からの指示に対するエネルギー貯蔵システム３０の応答時間を取得する。そして、応答時間が以前の値から変化すると、要求部１４は、上記要求を１０に送信すると決定する。判断装置１０からエネルギー貯蔵システム３０への指示の送信、及び、エネルギー貯蔵システム３０から判断装置１０への応答データの送信は、監視装置２０を経由して行われてもよい。
【０１７７】
指示の内容は特段制限されず、例えば、時間軸に沿って充電電力値［Ｗ］又は放電電力値［Ｗ］を定めた充放電パターンでの充放電指示であってもよい。この場合、応答データは、エネルギー貯蔵システム３０の充電電力［Ｗ］や放電電力［Ｗ］の実測データである。例えば、エネルギー貯蔵システム３０に備えられた測定センサが当該実測データを測定する。そして、当該実測データが要求部１４に送信される。応答時間は、例えば、指示送信タイミングから、充放電パターンが測定されたタイミングまでの時間である。
【０１７８】
改造によりエネルギー貯蔵システム３０の性能が変化し、応答時間が以前のものから変化する可能性がある。当該検出に応じて、エネルギー貯蔵システム３０の構成が正規か否かを確認することで、改造等を早期に検出することができる。
【０１７９】
「例５」
例５では、要求部１４は、エネルギー貯蔵システム３０のエネルギーの貯蔵量、放出量、充電又は放電に関する積算量［Ｗｈ］（連続的な量だけでなく、途中で充電から放電に切り替わった場合の積算も含む）、充電又は放電に関する積算時間、及び、充放電に関するサイクル回数の中の少なくとも１つを、エネルギー貯蔵システム３０から監視装置２０を介して取得する。一例として、所定時間（例：１０分、１時間）連続的に貯蔵動作又は放出動作を行った場合の積算量を取得することが考えられる。そして、要求部１４は、以前の値から所定レベル以上変化したことの検出に応じて、監視装置２０に上記要求を送信することを決定する。
【０１８０】
改造によりエネルギー貯蔵システム３０の性能が変化し、上記取得値が以前のものから変化する可能性がある。例えば、エネルギー放出動作のスピード（例：放電速度）やエネルギー貯蔵動作のスピード（例：充電速度）が以前のものから変化する可能性がある。当該検出に応じて、エネルギー貯蔵システム３０の構成が正規か否かを確認することで、改造等を早期に検出することができる。
【０１８１】
「例６」
例６では、要求部１４は、エネルギー貯蔵システム３０がエネルギーの貯蔵動作（例：充電動作）及び放出動作（例：放電動作）を行ってない待機状態の経過時間を、監視装置２０から取得する。そして、要求部１４は、当該経過時間が所定値を超えたことの検出に応じて、監視装置２０に上記要求を送信することを決定する。
【０１８２】
改造中は、エネルギー貯蔵システム３０はエネルギーの貯蔵動作及び放出動作を行わない待機状態である可能性が高い。待機状態が所定値を超えた場合、エネルギー貯蔵システム３０は改造している可能性が高まる。当該検出に応じて、エネルギー貯蔵システム３０の構成が正規か否かを確認することで、改造等を早期に検出することができる。
【０１８３】
なお、本実施形態では、判断装置１０が、エネルギー貯蔵システム３０の状態を示す状態データに基づき、対象情報を要求するタイミングを決定したが、監視装置２０及びエネルギー貯蔵システム３０が、上記状態データに基づき、対象情報を判断装置１０に送信するタイミングを決定してもよい。かかる場合、監視装置２０と判断装置１０との間での状態データの送受信が不要となる。結果、通信負担を軽減できる。
【０１８４】
また、監視装置２０及びエネルギー貯蔵システム３０が、要求部１４が処理するものと同様のデータに基づき、同様の判断を行って、「要求部１４が、監視装置２０に上記要求を送信することを決定したタイミング」で、対象情報を判断装置１０に送信することを決定してもよい。
【０１８５】
次に、本実施形態の作用効果を説明する。
【０１８６】
本実施形態によれば、第１の実施形態と同様な作用効果が実現される。また、本実施形態によれば、エネルギー貯蔵システム３０の状態データが、参照値（例：当該エネルギー貯蔵システム３０の過去の所定期間分の状態データの統計値、予め定められた値等）から所定レベル以上乖離した場合、対象情報を要求し、エネルギー貯蔵システム３０の構成が正規か否かを判断することができる。
【０１８７】
エネルギー貯蔵システム３０の構成要素の一部が他のものに変更（改造）された場合、そのタイミングを境に、状態データの傾向がそれまでのものから変更することが期待される。当該タイミングでエネルギー貯蔵システム３０の構成が正規か否かを判断することで、正規な構成でないエネルギー貯蔵システム３０を早い段階で検出することができる。
【０１８８】
また、変形例で示したように、改造の可能性を示す各種イベントの検出に応じて、エネルギー貯蔵システム３０の構成が正規か否かを判断することで、早期に改造などを検出することができる。
【０１８９】
次に、第１及び第２の実施形態の監視システムを適用した具体例を説明する。
【０１９０】
＜具体例１＞
具体例１における登場人物は、「エネルギー貯蔵システム３０を用いた事業を行う事業体（以下、「エネルギー事業体」）」、「サービサーに資金提供するファイナンス」、及び、「エネルギー貯蔵システム３０の構成が正規か否かを判断するサービスを行う事業体（以下、「監視事業体」）」である。
【０１９１】
エネルギー事業体は、使用するエネルギー貯蔵システム３０の構成や、サービス内容等を明示した事業計画に基づき、資金調達を行う。ファイナンスは、使用するエネルギー貯蔵システム３０の機能、価値、安全性及びその他に基づき、エネルギー事業体に所定額の資金を提供する。
【０１９２】
ファイナンスは、エネルギー事業体が行う事業の価値の下落や事故の発生を抑制するため、監視事業体に、エネルギー事業体の事業で使用されるエネルギー貯蔵システム３０の構成の監視を依頼する。すなわち、ファイナンスは、エネルギー事業体とファイナンスとの間で取り決めされた「事業で使用するエネルギー貯蔵システム３０の構成」を監視事業体に通知し、当該構成のエネルギー貯蔵システム３０が使用されているか否かの監視を依頼する。当該具体例の場合、エネルギー事業体とファイナンスとの間で取り決めされた「事業で使用するエネルギー貯蔵システム３０の構成」が「正規なエネルギー貯蔵システム３０の構成」となる。
【０１９３】
監視事業体の判断装置１０は、エネルギー貯蔵システム３０の正規な構成を、エネルギー事業体及び／又はファイナンス（エネルギー貯蔵システム３０に関する顧客）に対応付けて正規情報記憶部に登録する。
【０１９４】
また、監視事業体は、判断装置１０のネットワークアドレス情報等をファイナンス又はエネルギー事業体に通知し、監視装置２０への登録を依頼する。
【０１９５】
エネルギー事業体は、監視事業体やファイナンスからの依頼に基づき、事業で使用するエネルギー貯蔵システム３０や監視装置２０への初期設定を行う。例えば、判断装置１０のネットワークアドレス情報等を監視装置２０に設定したり、エネルギー事業体及び／又はファイナンス（エネルギー貯蔵システム３０に関する顧客）の識別情報をエネルギー貯蔵システム３０に設定したりする。
【０１９６】
以降、エネルギー事業体が使用する監視装置２０及びエネルギー貯蔵システム３０と、監視事業体の判断装置１０との間で、第１及び第２の実施形態で説明した処理が行われる。例えば、図８乃至図１０を用いて説明した流れで処理が行われる。
【０１９７】
なお、判断装置１０には、ファイナンスの連絡先（例：電子メールアドレス）が登録されていてもよい。そして、判断装置１０は、エネルギー貯蔵システム３０が正規な構成でないことを検知すると、その旨をファイナンスに通知するよう構成してもよい。
【０１９８】
＜具体例２＞
具体例２における登場人物は、「エネルギー貯蔵システム３０を製造・販売するメーカ」、及び、「メーカからエネルギー貯蔵システム３０を購入し、使用する顧客」である。
【０１９９】
メーカは、エネルギー貯蔵システム３０を安全に使用してもらうため、正規なユニット以外の使用を禁止する。また、販売後もエネルギー貯蔵システム３０の構成を管理し、正規な構成と判断したエネルギー貯蔵システム３０のみ、運転を許可する。
【０２００】
メーカの判断装置１０は、自社が製造・販売する１つ又は複数のエネルギー貯蔵システム３０各々の正規な構成を、正規情報記憶部に登録する。
【０２０１】
監視装置２０及びエネルギー貯蔵システム３０は、使用前の前準備として、判断装置１０のアドレス情報等の設定を要求する。例えば顧客や、メーカの作業員が、当該設定を行う。なお、監視装置２０の出荷段階から判断装置１０のアドレス情報が設定されていてもよい。
【０２０２】
以降、顧客の監視装置２０及びエネルギー貯蔵システム３０と、メーカの判断装置１０との間で、第１及び第２の実施形態で説明した処理が行われる。例えば、図８乃至図１０を用いて説明した流れで処理が行われる。
【０２０３】
以下、参考形態の例を付記する。
１．  エネルギー貯蔵システムが備え、前記エネルギー貯蔵システムごとに対応づけられている複数の構成要素を示す第１の情報を取得する情報取得手段と、
確認対象の前記エネルギー貯蔵システムが備える複数の構成要素を示す対象情報を取得する対象情報取得手段と、
前記第１の情報と前記対象情報に基づき、前記確認対象のエネルギー貯蔵システムの構成が正規か否かを判断する判断手段と、
を有する判断装置。
２．  １に記載の判断装置において、
前記対象情報取得手段は、前記確認対象のエネルギー貯蔵システムを監視する監視装置が前記確認対象のエネルギー貯蔵システムから取得した前記対象情報を取得する判断装置。
３．  ２に記載の判断装置において、
所定のタイミングで、前記監視装置に前記対象情報を要求する要求手段をさらに有する判断装置。
４．  ３に記載の判断装置において、
前記要求手段は、前記エネルギー貯蔵システムの状態を示す状態データに基づき前記タイミングを決定する判断装置。
５．  ４に記載の判断装置において、
前記状態データは、所定期間内の積算充電電力量［Ｗｈ］、所定期間内の積算放電電力量［Ｗｈ］、所定期間内の前記エネルギー貯蔵システムの温度の統計値、及び、所定期間内の前記エネルギー貯蔵システムの電池電圧の統計値の中の少なくとも１つを含む判断装置。
６．  ４又は５に記載の判断装置において、
前記要求手段は、前記状態データの値が参照値から所定レベル以上乖離すると、前記対象情報を要求する判断装置。
７．  ３に記載の判断装置において、
前記判断手段は、正規か否かの判断結果に基づいて、前記エネルギー貯蔵システムに対して運転許可を発行し、
前記要求手段は、前記エネルギー貯蔵システムから運転許可の申し込みがあると、前記エネルギー貯蔵システムを監視する前記監視装置に前記対象情報を要求する判断装置。
８．  ３に記載の判断装置において、
前記要求手段は、前記エネルギー貯蔵システムの設置に応じて、前記エネルギー貯蔵システムを監視する前記監視装置に前記対象情報を要求する判断装置。
９．  ３に記載の判断装置において、
前記要求手段は、予め定められたスケジュールに基づき、定期的に、前記エネルギー貯蔵システムを監視する前記監視装置に前記対象情報を要求する判断装置。
１０．  ３に記載の判断装置において、
前記要求手段は、前記エネルギー貯蔵システムに対するメンテナンスの検出に応じて、前記エネルギー貯蔵システムを監視する前記監視装置に前記対象情報を要求する判断装置。
１１．  ３に記載の判断装置において、
前記要求手段は、前記エネルギー貯蔵システムの部品が交換されたことの検出に応じて、前記エネルギー貯蔵システムを監視する前記監視装置に前記対象情報を要求する判断装置。
１２．  １から１１のいずれかに記載の判断装置において、
前情報取得手段は、前記確認対象のエネルギー貯蔵システムを監視する監視装置から、前記確認対象のエネルギー貯蔵システムを識別する情報を取得し、複数の前記エネルギー貯蔵システム各々に対応して前記第１の情報を記憶する第１の情報記憶手段から、前記確認対象のエネルギー貯蔵システムに対応する前記第１の情報を取得する判断装置。
１３．  １から１１のいずれかに記載の判断装置において、
前記情報取得手段は、前記確認対象のエネルギー貯蔵システムを監視する監視装置から、顧客を識別する情報を取得し、複数の前記顧客各々に対応して前記第１の情報を記憶する第１の情報記憶手段から、前記顧客に対応する前記第１の情報を取得する判断装置。
１４．  １から１３のいずれかに記載の判断装置において、
前記情報取得手段は、前記確認対象のエネルギー貯蔵システムを監視する監視装置が前記確認対象のエネルギー貯蔵システムから取得した前記第１の情報を取得する判断装置。
１５．  １から１４のいずれかに記載の判断装置において、
前記判断手段は、複数の前記エネルギー貯蔵システム各々に対応付けて前記第１の情報を記憶する第１の情報記憶手段から取得された前記第１の情報、前記第１の情報を記憶する前記エネルギー貯蔵システムから取得された前記第１の情報、及び、前記エネルギー貯蔵システムから取得された前記対象情報に基づき、前記エネルギー貯蔵システムの構成が正規か否かを判断する判断装置。
１６．  １から１５のいずれかに記載の判断装置において、
前記エネルギー貯蔵システムは、前記複数の構成要素として、前記エネルギー貯蔵システムの全体を制御するシステムコントローラ、エネルギーを貯蔵するエネルギー貯蔵ユニット、前記エネルギー貯蔵ユニットを制御するエネルギー制御ユニット、及び、直流電力／交流電力の変換を行うパワーコンディショナを含む判断装置。
１７．  １から１６のいずれかに記載の判断装置において、
前記判断手段は、前記確認対象のエネルギー貯蔵システムの構成が正規でないと判断すると、警告を出力する判断装置。
１８．  １から１７のいずれかに記載の判断装置において、
前記判断手段は、前記確認対象のエネルギー貯蔵システムの構成が正規でないと判断すると、前記確認対象のエネルギー貯蔵システムの運転を停止させる指示を出力する判断装置。
１９．  確認対象のエネルギー貯蔵システムが備える複数の構成要素を示す対象情報を取得する取得手段と、
前記対象情報を外部装置に送信する通信手段と、
を有する監視装置。
２０．  １９に記載の監視装置において、
前記取得手段は、前記確認対象のエネルギー貯蔵システムが備える複数の構成要素各々から各々を識別する識別情報を取得し、
前記通信手段は、前記識別情報を含む前記対象情報を前記外部装置に送信する監視装置。
２１．  １９に記載の監視装置において、
前記取得手段は、前記確認対象のエネルギー貯蔵システムが備える複数の構成要素各々から各々を識別する識別番号を取得した後、前記識別番号に基づいた演算で送信値を算出し、
前記通信手段は、前記送信値を含む前記対象情報を前記外部装置に送信する監視装置。
２２．  １９に記載の監視装置において、
前記取得手段は、前記エネルギー貯蔵システムによる充放電動作により得られた充放電特性を示す情報を取得し、
前記通信手段は、前記充放電特性を示す情報を含む前記対象情報を前記外部装置に送信する監視装置。
２３．  １９から２２のいずれかに記載の監視装置において、
前記取得手段は、所定のタイミングで、前記対象情報を取得し、
前記通信手段は、前記取得手段による取得に応じて、前記対象情報を前記外部装置に送信する監視装置。
２４．  ２３に記載の監視装置において、
前記取得手段は、前記エネルギー貯蔵システムの状態を示す状態データに基づき前記タイミングを決定する監視装置。
２５．  ２４に記載の監視装置において、
前記状態データは、所定期間内の積算充電電力量［Ｗｈ］、所定期間内の積算放電電力量［Ｗｈ］、所定期間内の前記エネルギー貯蔵システムの温度の統計値、及び、所定期間内の前記エネルギー貯蔵システムの電池電圧の統計値の中の少なくとも１つを含む監視装置。
２６．  ２４又は２５に記載の判断装置において、
前記取得手段は、前記状態データの値が参照値から所定レベル以上乖離すると、前記対象情報を取得する監視装置。
２７．  ２３に記載の監視装置において、
前記取得手段は、前記エネルギー貯蔵システムから運転許可の申し込みを受信すると、前記対象情報を取得する監視装置。
２８．  ２３に記載の監視装置において、
前記取得手段は、前記エネルギー貯蔵システムの設置に応じて、前記対象情報を取得する監視装置。
２９．  ２３に記載の監視装置において、
前記取得手段は、予め定められたスケジュールに基づき、定期的に、前記対象情報を取得する監視装置。
３０．  ２３に記載の監視装置において、
前記取得手段は、前記エネルギー貯蔵システムに対するメンテナンスの検出に応じて、前記対象情報を取得する監視装置。
３１．  ２３に記載の監視装置において、
前記取得手段は、前記エネルギー貯蔵システムの部品が交換されたことの検出に応じて、前記対象情報を取得する監視装置。
３２．  複数の構成要素を備え、所定のタイミングで、前記構成要素各々を示す対象情報を外部装置に送信するエネルギー貯蔵システム。
３３．  ３２に記載のエネルギー貯蔵システムにおいて、
前記エネルギー貯蔵システムの状態を示す状態データに基づき前記タイミングを決定するエネルギー貯蔵システム。
３４．  ３３に記載のエネルギー貯蔵システムにおいて、
前記状態データは、所定期間内の積算充電電力量［Ｗｈ］、所定期間内の積算放電電力量［Ｗｈ］、所定期間内の前記エネルギー貯蔵システムの温度の統計値、及び、所定期間内の前記エネルギー貯蔵システムの電池電圧の統計値の中の少なくとも１つを含むエネルギー貯蔵システム。
３５．  ３３又は３４に記載の判断装置において、
前記状態データの値が参照値から所定レベル以上乖離すると、前記対象情報を送信するエネルギー貯蔵システム。
３６．  ３２に記載のエネルギー貯蔵システムにおいて、
運転許可の申し込みの入力を受付けると、前記対象情報を送信するエネルギー貯蔵システム。
３７．  ３２に記載のエネルギー貯蔵システムにおいて、
前記エネルギー貯蔵システムの設置に応じて、前記対象情報を送信するエネルギー貯蔵システム。
３８．  ３２に記載のエネルギー貯蔵システムにおいて、
予め定められたスケジュールに基づき、定期的に、前記対象情報を送信するエネルギー貯蔵システム。
３９．  ３２に記載のエネルギー貯蔵システムにおいて、
前記エネルギー貯蔵システムに対するメンテナンスの検出に応じて、前記対象情報を送信するエネルギー貯蔵システム。
４０．  ３２に記載のエネルギー貯蔵システムにおいて、
前記エネルギー貯蔵システムの部品が交換されたことの検出に応じて、前記対象情報を送信するエネルギー貯蔵システム。
４１．  １から１８のいずれかに記載の判断装置と、１９から３１のいずれかに記載の監視装置と、を有する監視システム。
４２．  ４１に記載の監視システムにおいて、
エネルギー貯蔵システムをさらに有する監視システム。
４３．  コンピュータが、
エネルギー貯蔵システムが備え、前記エネルギー貯蔵システムごとに対応づけられている複数の構成要素を示す第１の情報を取得する情報取得工程と、
確認対象の前記エネルギー貯蔵システムが備える複数の構成要素を示す対象情報を取得する対象情報取得工程と、
前記第１の情報と前記対象情報に基づき、前記確認対象のエネルギー貯蔵システムの構成が正規か否かを判断する判断工程と、
を実行する判断方法。
４４．  コンピュータを、
エネルギー貯蔵システムが備え、前記エネルギー貯蔵システムごとに対応づけられている複数の構成要素を示す第１の情報を取得する情報取得手段、
確認対象の前記エネルギー貯蔵システムが備える複数の構成要素を示す対象情報を取得する対象情報取得手段、
前記第１の情報と前記対象情報に基づき、前記確認対象のエネルギー貯蔵システムの構成が正規か否かを判断する判断手段、
として機能させるプログラム。
４５．  コンピュータが、
確認対象のエネルギー貯蔵システムが備える複数の構成要素を示す対象情報を取得する取得工程と、
前記対象情報を外部装置に送信する通信工程と、
を実行する監視方法。
４６．  コンピュータを、
確認対象のエネルギー貯蔵システムが備える複数の構成要素を示す対象情報を取得する取得手段、
前記対象情報を外部装置に送信する通信手段、
として機能させるプログラム。
４７．  複数の構成要素を備えるエネルギー貯蔵システムのコンピュータが、
所定のタイミングで、前記構成要素各々を示す対象情報を外部装置に送信するエネルギー貯蔵システムの動作方法。
４８．  複数の構成要素を備えるエネルギー貯蔵システムのコンピュータを、
所定のタイミングで、前記構成要素各々を示す対象情報を外部装置に送信する手段として機能させるプログラム。
【０２０４】
この出願は、２０１６年７月１５日に出願された日本出願特願２０１６−１４０５６７号を基礎とする優先権を主張し、その開示の全てをここに取り込む。
【図１】
0006756367.tif 000002
【図２】
0006756367.tif 000003
【図３】
0006756367.tif 000004
【図４】
0006756367.tif 000005
【図５】
0006756367.tif 000006
【図６】
0006756367.tif 000007
【図７】
0006756367.tif 000008
【図８】
0006756367.tif 000009
【図９】
0006756367.tif 000010
【図１０】
0006756367.tif 000011
【図１１】
0006756367.tif 000012
【図１２】
0006756367.tif 000013
【図１３】
0006756367.tif 000014
【図１４】
0006756367.tif 000015